(57)【要約】      （修正有）【課題】極力簡単な操作で被見守り者の状況を見守り者に知らせる．【解決手段】被見守り者側端末装置は，タッチパネル式表示装置１，タッチ検出部２，タッチ情報送信部３，ビデオメール認証部１２，ビデオメール受信検知部１３，ビデオメール受信部１４，ビデオメール再生検知部１５，ビデオメール撮影部１６，ビデオカメラ２２，ビデオメール送信部１７で構成する。見守り者側端末装置は，タッチ情報受信部４，ビデオメール撮影部６，ビデオカメラ７，ビデオメール記録部８，ビデオメールリスト作成部９，表示装置５，ビデオメール送信部１０，ビデオメール認証部１８，ビデオメール受信検知部１９，ビデオメール受信部２０，受信ビデオメール記録部２１を備える。画面タッチ操作をきっかけにビデオメール型対話を実現する。さらに被見守り者側端末装置の機械部分を着ぐるみで覆うことで，被見守り者の自然な発話促進機能を持つ擬人的媒体として機能させる。【選択図】図１
2016162012.tif 000002
【特許請求の範囲】
【請求項１】
被見守り者側端末装置は，タッチパネル式表示装置，タッチ検出部，タッチ情報送信部，ビデオメール認証部，ビデオメール受信検知部，ビデオメール受信部，ビデオメール再生検知部，ビデオメール撮影装置, ビデオカメラ，ビデオメール送信部，を備え，見守り者側端末装置として，タッチ情報受信装置，)ビデオメール撮影装部，ビデオカメラ，ビデオメール記録部，ビデオメールリスト作成部，表示装置，ビデオメール送信部，ビデオメール認証部，ビデオメール受信検知部，ビデオメール受信部，受信ビデオメール記録部，を備え，被見守り者が，見守り者発呼するために，被身守り者側端末装置のタッチパネル式表示装置をタッチすると，被身守り者側端末がタッチされたことを見守り者に伝達するため，タッチパネル式表示装置のタッチ情報を，タッチ検出部で検知し，タッチ情報送信部から送信し，通信網を介して，見守り者側端末のタッチ情報受信部で受信する，さらに，被見守り者によるタッチ情報が見守り者側端末の，タッチ情報受信部で受信に受信されると，見守り者側端末の表示装置上に，受信を知らせるメッセージを受信音とともに提示する，さらに，見守り者が被見守り者の発呼に応えるため，見守り者側端末装置を使ってビデオメールを撮影する際，見守り者側端末装置の，ビデオメール撮影装置が起動され，ビデオカメラからビデオ映像情報を取得し，ビデオメール記録部に録画される，さらに，見守り者側端末装置のビデオメール記録部で録画されたビデオメール情報は，ビデオメールリスト作成部でリスト化され，表示装置にリスト表示される，さらに，見守り者が，今録画したビデオメール，あるいはかつて録画したビデオメールを，リストの中から選択して送信操作を行うと， (1見守り者側端末装置のビデオメール送信部は，リストの中から選択されたビデオメール情報をビデオメール記録部から検索して，   認証情報とともに通信網を介して被見守り者側端末装置に送付する，さらに，被見守り者側端末では，見守り者側端末から送付された認証情報をビデオメール認証部で参照し，   自分の見守り者のビデオメール情報であることを認証すると，ビデオメール情報をビデオメール受信検知部で検知する，さらに，  被見守り者側端末装置のビデオメール受信検知部が，ビデオメール情報の着信を検知すると，検知したことを知らせる信号をビデオメール撮影部に伝達するとともに，ビデオメール再生検知部を経てタッチパネル式表示装置にビデオメール情報を提示する，さらに，被見守り者側端末装置のビデオメール撮影装置は，ビデオメール情報着信検知信号を受け取ると，   予め設定した時間の後に，ビデオカメラで検知された被見守り者の応答ビデオメールの撮影を開始し，予め設定した録画時間の応答ビデオメール情報をビデオメール送信部に伝送する，さらに，被見守り者側端末装置のビデオメール送信部は，通信網を介して，認証情報と供に応答ビデオメール情報を見守り者側端末装置に送付する，さらに，見守り者側端末装置が，応答ビデオメール情報と認証情報を受信すると，ビデオメール認証部が認証情報を照合し，被見守り者であることを認証する，さらに，見守り者側端末装置のビデオメール認証部で認証されると，ビデオメール受信検知部は，応答ビデオメー���情報を表示装置に提示するとともに，受信ビデオメール記録部で録画する，ようにしたので，高機能携帯電話のビデオ撮影録画機能や通信機能を利用し，高機能携帯電話であるところの被見守り者側端末装置と見守り者側端末装置を用意し，被見守り者の「端末画面タッチ」のみで見守り者を発呼することをきっかけとして，見守り者端末装置からビデオメッセージと呼ばれるビデオ映像を撮影して，被見守り者側端末装置にビデオメール送付すると，   そのビデオ映像が再生され，被見守り者側端末装置では，ビデオ映像再生開始後一定時間の後に自動的に録画を開始し，ビデオメッセージに対する被見守り者の応答を自動的に一定時間録画し，さらに，それを見守り者側端末装置にビデオメールとして自動送信することを最も主要な特徴とする発呼機能付きビデオ対話装置．  
【請求項２】
「請求項１」の装置構成に加え，ビデオカメラとタッチパネル式表示装置以外の被見守り者側端末装置の機械部分を，着ぐるみ（擬人的媒体），で覆い隠すことにより，   被見守り者側端末装置を，被見守り者の自然な発話を促進機能を持つ擬人的媒体として機能させる，ことを特徴とする発呼機能付きビデオ対話装置．
【発明の詳細な説明】
【技術分野】
【０００１】
本発明は，入院中の患者あるいは寝たきりの被介護者などの被見守り者の発呼操作をきっかけとし，医療・介護スタッフなどの見守り者が話し掛けるビデオ映像メールを見守り者側端末装置から送信し，そのビデオ映像を見た被見守り者の反応が，被見守り者側端末装置からビデオ映像メールとして自動返信される仕組みに関するものである．
【背景技術】
【０００２】
近年，スマートフォンと呼ばれる携帯端末が普及し，Skype（非特許文献１）のような携帯端末を用いたTV電話機能が無償で利用できるようになった．入院中の患者あるいは寝たきりの被介護者などの見守り技術として映像情報を通信できるこのような機能を応用することはきわめて有用である．しかし，携帯端末操作の手順は，入院中の患者あるいは寝たきりの被介護者などの被見守り者にとってきわめて難しい．
【０００３】
一方，ナースコールのような発呼機能は，ブザー等の発呼機能と音声による情報交換で構成されており，被見守り者の顔色や発話の様子を窺い知るには情報量が不足する．
【０００４】
このように，高機能携帯電話のSkypeなどのTV電話機能は，被見守り者の顔色や発話の様子を窺い知るには有効であるが，基本的に被見守り者と見守り者双方の端末操作が必要であり，入院患者や寝たきり高齢者などのような被見守り者にとってその操作を期待することは困難である．そこで，本発明では（特許文献１）の遠隔対話支援装置に発呼機能を組み合わせることで課題の解決を図る．
【先行技術文献】
【特許文献】
【０００５】
【特許文献１】特願2013-231929
【非特許文献】
【０００６】
【非特許文献１】Microsoft , “Skype”,  [online] , ［平成27年2月22日検索］, インターネット＜URL：http://www.skype.com/ja/＞
【発明の概要】
【発明が解決しようとする課題】
【０００７】
現在，総人口の24.1%，約4人に1人が高齢者者の超高齢化社会が進んでおり，   総務省統計局「国勢調査」（2000年），国立社会保障・人口問題研究所「日本の世帯数の将来推計（3003年）によれば， 独居高齢者が急増し2015年現在でほぼ600万人に達している．また，内閣府「高齢者の生活実態に関する調査」（2009年12月発表）によると，そのうち１％が寝たきりあるいは寝たきりに近い状態にある．
【０００８】
このような状況の高齢者あるいは入院患者のような被見守り者の様子を医療・介護スタッフあるいは遠隔の家族などの見守り者が見守る手段として，SkypeなどのようなTV電話機能が有用である．
【０００９】
しかしながらTV電話機能は，基本的に被見守り者と見守り者双方の端末操作が必要であり，入院患者や寝たきり高齢者などのような被見守り者にとってその操作を期待することは困難である．特に，被見守り者からの発呼操作は，高齢者にとって難しく，簡単な操作のみで見守りのための映像情報の送受信を実施する手段が必要である．
【課題を解決するための手段】
【００１０】
本発明は，高機能携帯電話のビデオ撮影録画機能や通信機能を利用し，高機能携帯電話であるところの被見守り者側端末装置と見守り者側端末装置を用意し，被見守り者の「端末画面タッチ」のみで見守り者を発呼することをきっかけとして，見守り者端末装置からビデオメッセージと呼ばれるビデオ映像を撮影して，被見守り者側端末装置にビデオメール送付すると，そのビデオ映像が再生され，被見守り者側端末装置では，ビデオ映像再生開始後一定時間の後に自動的に録画を開始し，ビデオメッセージに対する被見守り者の応答を自動的に一定時間録画し，さらに，それを見守り者側端末装置にビデオメールとして自動送信することを最も主要な特徴とする．
【００１１】
また，本発明では，被見守り者側端末装置の表示装置ならびにビデオ撮影装置以外の部分を着ぐるみで覆い，被見守り者側端末装置を，擬人的媒体（発明の効果参照）として機能させる，ことも特徴とする．
【発明の効果】
【００１２】
本発明は，高機能携帯電話である被見守り者が，被見守り者側端末の「端末画面タッチ」という単純操作のみで見守り者を発呼することをきっかけとして，見守り者端末装置からビデオメッセージと呼ばれるビデオ映像を撮影して，被見守り者側端末装置にビデオメール送付すると，   そのビデオ映像が再生され，被見守り者側端末装置では，ビデオ映像再生開始後一定時間の後に自動的に録画を開始し，ビデオメッセージに対する被見守り者の応答を自動的に一定時間録画し，さらに，それを見守り者側端末装置にビデオメールとして自動送信する
【００１３】
被見守り者は，「画面タッチ」以外の端末操作の必要なく，メッセージに応ずるだけでその状況が，ビデオ映像メールとしてとして見守り者に伝えられる，という利点がある．
【００１４】
擬人的媒体の説明：
ぬいぐるみやヒューマノイドロボットのような，本当の心はもっていなくても，心を持っているかのような存在を擬人的媒体と呼ぶ．
文献：桑原 教彰, 米澤 朋子, 田村 俊世, 内海 章, 安部 伸治,「記憶障害や認知症を有する方を意欲創出,注意誘導で支援する行動支援メディアの研究」, 2011年度 研究実績報告書，によれば， このような擬人的媒体は非言語コミュニケーションを感知する右脳を活性化し，その結果として言語野のある左脳を活性化することで，被見守り者の対話意欲を喚起できることがわかっている． そのため，認知症などが原因で対話意欲が減退した被見守り者の対話を円滑にさせることができる．
【図面の簡単な説明】
【００１５】
【図１】図１は発呼機能付きビデオ対話装置の装置構成を図式化したものである．（実施例１）
【図２】図２は発呼機能付きビデオ対話装置の装置構成を図式化したものである．（実施例２）
【発明を実施するための形態】
【００１６】
寝たきりや寝たきりに近い独居高齢者や入院患者などのような被見守り者を映像情報を用いて見守るための仕組みの構築という目的を，   被見守り者にとって難しい高機能携帯電話装置の操作手順を一切排除し，   被見守り者の「端末画面タッチ」という簡単操作のみで発呼処理を実現し，ビデオメッセージと呼ばれるビデオ映像メールの送受信を，   見守り者側端末装置と被見守り者側端末装置の2台の高機能携帯電話装置を利用し， スマートフォンアプリとして実現する．
【実施例１】
【００１７】
図１は，本発明装置の１実施例の図であって，被見守り者側端末装置は，(1)タッチパネル式表示装置，(2)タッチ検出部，(3)タッチ情報送信部，(12)ビデオメール認証部，(13)ビデオメール受信検知部，(14)ビデオメール受信部，(15) ビデオメール再生検知部，(16) ビデオメール撮影装置, (22)ビデオカメラ，(17)ビデオメール送信部，(23)着ぐるみ（擬人的媒体），によって構成する．見守り者側端末装置は，(4)タッチ情報受信装置，(2)ビデオメール撮影装部，(7)ビデオカメラ，(8)ビデオメール記録部，(9)ビデオメールリスト作成部，(5)表示装置，(10)ビデオメール送信部，(18)ビデオメール認証部，(19)ビデオメール受信検知部，(20)ビデオメール受信部，(21)受信ビデオメール記録部，によって構成する．
【００１８】
被見守り者は，見守り者を呼び出すために，被身守り者側端末装置の(1)タッチパネル式表示装置をタッチする．
【００１９】
被身守り者側端末がタッチされたことを見守り者に伝達するため，(1)タッチパネル式表示装置のタッチ情報を(2)タッチ検出部で検知し，(3)タッチ情報送信部から送信し，(11)通信網を介して，見守り者側端末の(4)タッチ情報受信部で受信する．
【００２０】
被見守り者によるタッチ情報が見守り者側端末の(4)タッチ情報受信部で受信に受信されると，(5)表示装置上に，受信を知らせるメッセージを受信音とともに提示する．
【００２１】
見守り者が被見守り者からの発呼を受け取ったのち，被守り者とビデオメールを用いて対話を行う．以下，ビデオメールの通信機能の説明を行う．
【００２２】
見守り者が，見守り者側端末装置を使ってビデオメールを撮影する際，見守り者側端末装置の(6)ビデオメール撮影装置が起動され，(7)ビデオカメラからビデオ映像情報を取得し，(8)ビデオメール記録部に録画される．
【００２３】
(8)ビデオメール記録部で録画されたビデオメール情報は，(9)ビデオメールリスト作成部でリスト化され，(5)表示装置にリスト表示される．
【００２４】
見守り者が，今録画したビデオメール，あるいはかつて録画したビデオメールを，リストの中から選択して送信操作を行うと，   (10)ビデオメール送信部は，リストの中から選択されたビデオメール情報を(8)ビデオメール記録部から検索して，認証情報とともに(11)通信網を介して被見守り者側端末装置に送付する．
【００２５】
被見守り者側端末では，見守り者側端末から送付された認証情報を(12)ビデオメール認証部で参照し，自分の見守り者のビデオメール情報であることを認証すると，ビデオメール情報を(13)ビデオメール受信検知部で検知する．
【００２６】
(13)ビデオメール受信検知部が，ビデオメール情報の着信を検知すると，検知したことを知らせる信号を(16)ビデオメール撮影部に伝達するとともに，(15)ビデオメール再生検知部を経て(1)タッチパネル式表示装置にビデオメール情報を提示する．
【００２７】
(16)ビデオメール撮影装置は，ビデオメール情報着信検知信号を受け取ると，予め設定した時間の後に，(22)ビデオカメラで検知された被見守り者の応答ビデオメールの撮影を開始し，予め設定した録画時間の応答ビデオメール情報を(17)ビデオメール送信部に伝送する．
【００２８】
(17)ビデオメール送信部は，(11)通信網を介して，認証情報と供に応答ビデオメール情報を見守り者側端末装置に送付する．
【００２９】
見守り者側端末装置が，応答ビデオメール情報と認証情報を受信すると，(18)ビデオメール認証部が認証情報を照合し，被見守り者であることを認証する．
【００３０】
(18)ビデオメール認証部で認証されると，(19)ビデオメール受信検知部は，応答ビデオメール情報を(5)表示装置に提示するとともに，   (21)受信ビデオメール記録部で録画する．尚，被見守り者側端末装置は(23)着ぐるみ（擬人的媒体）によって(1)タッチパネル式表示装置ならびに(22)ビデオカメラ以外の機械部分を覆い隠すことによって，「擬人的媒体の説明」で述べた擬人的媒体として機能させる．
【実施例２】
【００３１】
図２は，本発明装置の第２の実施例の図である．
【００３２】
実施例２では，見守り者側端末装置の装置構成のうち，(6)ビデオメール記録部，(8)ビデオメールリスト作成部，(9)ビデオメール記録部，(10)ビデオメール送信部，(18)ビデオメール認証部，(21)受信ビデオメール記録部，被見守り者側端末装置の装置構成のうち，(12)ビデオメール認証部，をそれぞれの端末装置から切り離し，(11)通信網上に設置するサーバー装置上に構築した装置構成である．
【００３３】
実施例２を構成する装置間の仕組みは，実施例１と同じである．
【００３４】
実施例２では，情報量の多いビデオメール情報を，見守り者側端末装置上で記録する必要がないため，端末装置の蓄積容量不足に対して安定に動作する．
【産業上の利用可能性】
【００３５】
遠隔の被見守り者を気遣う見守り者は多い．遠隔地の高齢者，特に寝たきりや寝たきりに近い高齢者を見守る必要のある家族や介護スタッフ、さらには入院中の患者を見守る必要のある医療スタッフなどである．しかしながら，現状の被見守り者が容易に扱い得る端末装置機能は，上記「背景技術」の説明で述べたように，操作は簡単だが単純なナースコール機能を付加した音声通話機器，あるいは端末操作の難しいTV電話機器のみというのが現状である．
【００３６】
本発明によって，被見守り者による「画面タッチ」という簡単な操作をきっかけとして，ビデオメール情報という情報量の多い映像情報による見守り者との対話を実現することができる．
【００３７】
よって，現在普及している高機能携帯電話（スマートフォン）を端末として利用することができ，インターネット上で見守り者側端末装置の装置構成ならびに被見守り者側端末装置の装置構成を実現したスマートフォンアプリを安価に配布することができ， 機能拡張もネットワーク上で行えるため，安価で且つ情報量豊富な見守り対話を実現するためのサービスを構成できる．
【００３８】
さらに，上記「擬人的媒体の説明」で述べた擬人的媒体の機能は，着ぐるみの販売で実現することができるため，安価で且つ手軽に本サービスを提供可能である．
【符号の説明】
【００３９】
(1)タッチパネル式表示装置，
(2)タッチ検出部，
(3)タッチ情報送信部，
(4)タッチ情報受信部，
(5)表示装置，
(6)ビデオメール撮影部，
(7)ビデオカメラ，
(8)ビデオメール記録部，
(9)ビデオメールリスト作成部，
(10)ビデオメール送信部，
(11)通信網，
(12)ビデオメール認証部，
(13)ビデオメール受信検知部，
(14)ビデオメール受信部，
(15)ビデオメール再生検知部，
(16)ビデオメール撮影部，
(17)ビデオメール送信部，
(18)ビデオメール認証部，
(19)ビデオメール受信検知部，
(20)ビデオメール受信部， 
(21)受信ビデオメール季肋部，
(22)ビデオカメラ，
(23)着ぐるみ（擬人的媒体）
【図１】
2016162012.tif 000003
【図２】
2016162012.tif 000004